(57)【要約】【課題】建物の居住者や使用者の個人情報を一元的に遠隔管理し、居住者に対して個人情報に基づくきめ細かい安全監視や保安サービスを実施する建物遠隔監視システムを提供する。【解決手段】遠隔安全監視センタ２は、入退室者情報を受信して居住者の個人認証を行い、居住者の入退室を把握する居住者認証部６と、居住者の固定個人属性が登録される基本属性データベース１０と、居住者の変動個人属性が記録される属性履歴データベース１２と、監視カメラ１６が撮影した映像から居住者の個人状況を検知して個人状況把握データベース１１に記録する個人状況把握部７と、設備機器１７を制御する設備制御手段３に制御指令を発信する制御指令発信部９と、警備員１３の出動を要請する制御指令を発信する警備指令発信部９と、を備え、制御指令発信部８及び警備指令発信部９は、居住者に対する安全監視及び保安サービスを行う。【選択図】図１
2010026955.tif 000002
【特許請求の範囲】
【請求項１】
建物に設けられ、建物内の設備機器を制御する設備制御手段と、遠隔安全監視センタとが通信ネットワークにより接続され、
遠隔安全監視センタは、
建物の設備機器の配置状況に関する情報を記憶する設備情報記憶手段と、
建物の居住者に関する個人情報を記憶する個人情報記憶手段と、
建物の入退室口に設置されたＩＤ読取り装置が検知した入退出者情報を受信し、居住者の個人認証を行う居住者認証手段と、
建物内に設けられた監視カメラが撮影した映像に基づき居住者の通行状況を把握する通行状況把握手段と、
各建物の設備制御手段に対して制御指令を発信する制御指令発信手段と、
警備員の出動を要請する制御指令を発信する警備指令発信手段と、を備え、
制御指令発信手段及び警備指令発信手段は、居住者認証手段による居住者の個人認証と、個人情報記憶手段に記憶されたその居住者の個人情報と、通行状況把握手段が受信した居住者の通行状況と、に基づき、建物内の居住者に対する安全監視及び保安サービスを行うことを特徴とする建物遠隔監視システム。
【請求項２】
請求項１に記載の建物遠隔監視システムであって、個人情報記憶手段は、居住者の固定された属性が予め登録される基本属性データベースと、通行状況把握手段が把握した個人状況が記憶される個人状況把握データベースと、個人状況把握データベースから抽出された居住者の変動する属性が更新して記憶される属性履歴データベースと、から構成されることを特徴とする建物遠隔監視システム。
【請求項３】
請求項２に記載の建物遠隔監視システムであって、基本属性データベースには、居住者の個人認証用の顔画像が登録され、居住者認証手段は、建物の入退室口に設けられた監視カメラが撮影した入退室者の顔画像と、基本属性データベースに登録された居住者の顔画像とを照合して居住者の個人認証を行うことを特徴とする建物遠隔監視システム。
【請求項４】
請求項２又は３に記載の建物遠隔監視システムであって、制御指令発信手段は、居住者認証手段が建物の入退室口に設けられた監視カメラが撮影した入退室者の顔画像が、基本属性データベースに登録されたいずれの居住者の顔画像とも一致しないと判断した場合には、設備制御手段に対し、入退室口の扉を施錠させ、警報装置に不審者進入の警報を発報させ、警備指令発信手段は、警備員に対してその建物への出動を要請する制御指令を発信する指令を発信することを特徴とする建物遠隔監視システム。
【請求項５】
請求項２乃至４のいずれか１に記載の建物遠隔監視システムであって、通行状況把握手段は、建物内に設けられた監視カメラにより居住者の建物内での経路を把握して個人状況把握データベースに記憶し、さらに、その居住者の建物内の動線を抽出して属性履歴データベースに記憶し、制御指令発信手段は、設備制御手段に対してその居住者の動線に関連した照明設備のＯＮ／ＯＦＦ指令を発信することを特徴とする建物遠隔監視システム。
【請求項６】
請求項１乃至５のいずれか１に記載の建物遠隔監視システムであって、制御指令発信手段は、居住者認証手段による入退室情報から居住者の在室状況を判断し、設備制御手段に対して居住者の居室の照明設備のＯＮ／ＯＦＦ指令を発信することを特徴とする建物遠隔監視システム。
【請求項７】
請求項１乃至６のいずれか１に記載の建物遠隔監視システムであって、通行状況把握手段が、建物の入退室口に設けられた監視カメラが撮影した居住者の画像から居住者が建物内のエレベータに乗車することを把握した場合には、制御指令発信手段は、設備制御手段に対し、エレベータ制御装置にエレベータかごの呼び登録をさせ、エレベータホールの照明機器、及びその居住者の乗車するエレベータかご内の照明機器のＯＮ／ＯＦＦ指令を発信することを特徴とする建物遠隔監視システム。
【請求項８】
請求項１乃至７のいずれか１に記載の建物遠隔監視システムであって、制御指令発信手段は、通行状況把握手段が建物内に設けられた監視カメラが撮影した画像から居住者の異常を検出した場合には、設備制御手段に対し、警報装置に異常検出の警報を発報させる指令を発信し、警備指令発信手段は、警備員に対してその建物への出動を要請する制御指令を発信することを特徴とする建物遠隔監視システム。
【請求項９】
請求項１乃至８のいずれか１に記載の建物遠隔監視システムであって、制御指令発信手段は、通行状況把握手段が建物のエレベータかご内に設けられた監視カメラが撮影した画像から居住者の異常を検出した場合には、設備制御手段に対し、警報装置に異常検出の警報を発報させる指令を発信し、警備指令発信手段は、警備員に対してその建物への出動を要請する制御指令を発信することを特徴とする建物遠隔監視システム。
【発明の詳細な説明】
【技術分野】
【０００１】
本発明は建物遠隔監視システムに係り、特に、建物に設けられて建物内の設備機器を制御する設備制御手段と、遠隔安全監視センタとが通信ネットワークにより接続される建物遠隔監視システムに関する。
【背景技術】
【０００２】
例えば、マンション、集合住宅などの住居施設の建物において、玄関ホールへの入退室管理のために、例えばＩＤカードに記憶された登録ＩＤ番号の読み取り、登録された暗証番号の入力などにより入退室者が本人であることを照合して出入口ドアが解錠される。そして、居住施設内に登録されていない者が侵入することを防止する安全監視が行われる。このＩＤカードに記憶されたＩＤ番号、暗証番号などは居住者本人を認証するための個人情報である。
【０００３】
また、住居施設内の設備機器であるエレベータかごは深夜には密室となる。そのため、居住者のうち女性、子供、老人などがエレベータかご内で暴漢や泥酔者に襲われるといった事件が発生する虞がある。また、深夜、人気のない廊下、エレベータホール、共有部分などにおいても暴漢や泥酔者に襲われるといった事件が発生する虞がある。このため、廊下、エレベータホール、エレベータかご内、共有部分などには、安全監視のために監視カメラが設置される場合がある。
【０００４】
また、住居施設内の設備機器である居室、廊下、エレベータホール、エレベータかご内、共有部分などに設けられた照明設備は、住居施設内で事件が発生するのを未然に防止するという保安上重要な設備である。すなわち、夜間において省エネの観点から廊下、エレベータホール、エレベータかご内、共有部分など照明設備がＯＦＦにされる場合があるが、暗がりのなかで事件が発生する可能性が高まり問題となる。
【０００５】
一方、オフィスビル、工場、研究所、運動施設、教育施設、テーマパークなどの建物では、入退室管理のためにＩＤカードに記憶されたＩＤ番号などにより入退室者が本人であることを照合したうえで入退室ドアが解錠される。そして、建物内に登録されていない者が侵入することを防止する安全監視が行われる。このＩＤカードに記憶されたＩＤ番号、暗証番号などは居住者本人を認証するための個人情報である。
【０００６】
また、建物内の設備機器である、オフィス・フロア、廊下、エレベータホール、エレベータかご内、共有部分などの照明設備は、建物内で事件が発生するのを未然に防止するという保安上重要な設備である。すなわち、夜間において省エネの観点から廊下、エレベータホール、エレベータかご内、共有部分など照明設備がＯＦＦにされる場合があるが、暗がりのなかで事件が発生する可能性が高まり問題となる。特に、深夜、女性社員などがエレベータかご内、廊下、エレベータホール、共有部分で暴漢や泥酔者に襲われるといった事件が発生している。
【０００７】
このように、これら住居施設の居住者、又は建物の使用者に対する安全監視や保安サービスはより高度にかつ複雑になりつつある。そして、この安全監視や保安サービスを行う上で、居住者や使用者の個人情報の重要性が増している。例えば、住居施設において登録された居住者か非登録者か、或いはオフィスにおいて登録された利用者か非登録者かについては、安全監視や保安サービス及び上重要な情報であるが、個人情報であるために漏洩して悪用される虞がある。
【０００８】
一方、特許文献１には、警備機関において迅速にマンションなどの建物の安全管理を行うセキュリティシステムが開示されている。ここでは、警備機関がマンションなどに設置されたセキュリティ機器を通信網に接続する。そして、セキュリティ機器が異常を検知すると、セキュリティ機器は、通信網経由で警備機関に警備信号を伝送する。また、センター装置の監視部は、セキュリティ機器の動作状態を通信網経由で監視することが記載されている。
【０００９】
【特許文献１】特開２００２−１８３８５２号公報
【発明の開示】
【発明が解決しようとする課題】
【００１０】
建物の安全監視や保安サービス上重要な居住者や利用者の個人情報は、入退室管理におけるＩＤカードに記憶されたＩＤ番号、暗証番号などで管理されるが、この居住者や利用者の個人情報は、入退室管理以外の建物の安全監視や保安サービスに連動して活用されていない。従って、居住者に対する安全監視や保安サービスが不十分であるという問題がある。
【００１１】
一方、建物の居住者や利用者に対して安全監視や保安サービスを実施する際にこの個人情報を活用する場合、個人情報を安全に管理しなければならないという問題がある。
【００１２】
本願の目的は、かかる課題を解決し、建物の居住者や使用者の個人情報を一元的に遠隔管理し、居住者に対して個人情報に基づくきめ細かい安全監視及び保安サービスを実施する建物遠隔監視システムを提供することである。
【課題を解決するための手段】
【００１３】
上記目的を達成するため、本発明に係る建物遠隔監視システムは、建物に設けられ、建物内の設備機器を制御する設備制御手段と、遠隔安全監視センタとが通信ネットワークにより接続され、遠隔安全監視センタは、建物の設備機器の配置状況に関する情報を記憶する設備情報記憶手段と、建物の居住者に関する個人情報を記憶する個人情報記憶手段と、建物の入退室口に設置されたＩＤ読取り装置が検知した入退出者情報を受信し、居住者の個人認証を行う居住者認証手段と、建物内に設けられた監視カメラが撮影した映像に基づき居住者の通行状況を把握する通行状況把握手段と、各建物の設備制御手段に対して制御指令を発信する制御指令発信手段と、警備員の出動を要請する制御指令を発信する警備指令発信手段と、を備え、制御指令発信手段及び警備指令発信手段は、居住者認証手段による居住者の個人認証と、個人情報記憶手段に記憶されたその居住者の個人情報と、通行状況把握手段が受信した居住者の通行状況と、に基づき、建物内の居住者に対する安全監視及び保安サービスを行うことを特徴とする。
【００１４】
これにより、建物の居住者に関する個人情報、居住者の在室状況、及び居住者の個人状況が遠隔安全監視センタに集約されて一元管理される。そして、これらの建物の居住者に関する個人情報、居住者の在室状況、及び居住者の個人状況という個人情報に基づき、遠隔安全監視センタから建物内の居住者に対してきめの細かい安全監視を行うことができる。
【００１５】
また、建物遠隔監視システムは、個人情報記憶手段が、居住者の固定された属性が予め登録される基本属性データベースと、通行状況把握手段が把握した個人状況が記憶される個人状況把握データベースと、個人状況把握データベースから抽出された居住者の変動する属性が更新して記憶される属性履歴データベースと、から構成されることが好ましい。これにより、居住者の個人情報が、基本属性データベース、個人状況把握データベース、及び属性履歴データベースによりきめ細かく記憶される。
【００１６】
また、建物遠隔監視システムは、基本属性データベースには、居住者の個人認証用の顔画像が登録され、居住者認証手段が、建物の入退室口に設けられた監視カメラが撮影した入退室者の顔画像と、基本属性データベースに登録された居住者の顔画像とを照合して居住者の個人認証を行うことが好ましい。これにより、一元化された基本属性データベースに登録された顔画像により居住者の個人認証が行われ、個人情報の一元管理ができる。
【００１７】
また、建物遠隔監視システムは、制御指令発信手段が、居住者認証手段が建物の入退室口に設けられた監視カメラが撮影した入退室者の顔画像が、基本属性データベースに登録されたいずれの居住者の顔画像とも一致しないと判断した場合には、設備制御手段に対し、入退室口の扉を施錠させ、警報装置に不審者進入の警報を発報させ、警備指令発信手段は、警備員に対してその建物への出動を要請する制御指令を発信する指令を発信することが好ましい。これにより、基本属性データベースに登録された個人情報から不審者の侵入を防止し、不審者に対する対処を一元的に行うことができる。
【００１８】
また、建物遠隔監視システムは、通行状況把握手段が、建物内に設けられた監視カメラにより居住者の建物内での経路を把握して個人状況把握データベースに記憶し、さらに、その居住者の建物内の動線を抽出して属性履歴データベースに記憶し、制御指令発信手段が、設備制御手段に対してその居住者の動線に関連した照明設備のＯＮ／ＯＦＦ指令を発信することが好ましい。これにより、居住者の建物内での動線という個人情報が一元管理され、夜間での居住者の動線への照明設備をＯＮ／ＯＦＦさせて警備するというきめ細かい保安サービスができる。
【００１９】
また、建物遠隔監視システムは、制御指令発信手段が、居住者認証手段による入退室情報から居住者の在室状況を判断し、設備制御手段に対して居住者の居室の照明設備のＯＮ／ＯＦＦ指令を発信することが好ましい。これにより、居住者の在室状況という個人情報が入退室口における個人認証により判断され、建物内の居室などの設備機器のＯＮ／ＯＦＦが居住者の入退室に連動して制御される。
【００２０】
また、建物遠隔監視システムは、通行状況把握手段が、建物の入退室口に設けられた監視カメラが撮影した居住者の画像から居住者が建物内のエレベータに乗車することを把握した場合には、制御指令発信手段が、設備制御手段に対し、エレベータ制御装置にエレベータかごの呼び登録をさせ、エレベータホールの照明機器、及びその居住者の乗車するエレベータかご内の照明機器のＯＮ／ＯＦＦ指令を発信することが好ましい。これにより、例えば、夜間において居住者がエレベータを利用する際に照明設備をＯＮ／ＯＦＦさせて警備するというきめ細かい保安サービスができる。
【００２１】
また、建物遠隔監視システムは、制御指令発信手段が、通行状況把握手段が建物内に設けられた監視カメラが撮影した画像から居住者の異常を検出した場合には、設備制御手段に対し、警報装置に異常検出の警報を発報させる指令を発信し、警備指令発信手段が、警備員に対してその建物への出動を要請する制御指令を発信することが好ましい。これにより、建物内での居住者の異常発生の監視及びその異常発生への対処を一元的に行うことができる。
【００２２】
さらに、建物遠隔監視システムは、制御指令発信手段が、通行状況把握手段が建物のエレベータかご内に設けられた監視カメラが撮影した画像から居住者の異常を検出した場合には、設備制御手段に対し、警報装置に異常検出の警報を発報させる指令を発信し、警備指令発信手段が、警備員に対してその建物への出動を要請する制御指令を発信することが好ましい。これにより、エレベータかご内での居住者の異常発生の監視及びその異常発生への対処を一元的に行うことができる。
【発明の効果】
【００２３】
以上のように、本発明に係る建物遠隔監視システムによれば、建物の居住者や使用者の個人情報を一元的に遠隔監視し、居住者に対して個人情報に基づくきめ細かい安全監視及び保安サービスを実施することが可能となる。
【発明を実施するための最良の形態】
【００２４】
以下に、図面を用いて本発明に係る建物遠隔監視システムの実施の形態につき、詳細に説明する。
【００２５】
（建物遠隔監視システムの構成）
図１に、建物遠隔監視システムの１つの実施形態の概略構成を示す。本実施形態において建物遠隔監視システム１を適用する建物２０は、主としてマンション或いは集合住宅などの住居施設とするが、それら以外のオフィスビル、工場、研究所、運動施設、教育施設、テーマパークなどの建物２０についても同様に適用される。従って、本明細書における「居住者」は、住居施設の居住者だけではなく、オフィスなどの建物２０の使用者も含まれる。また、本明細書における「居室」には、住居施設の居室だけではなく、オフィスなどの建物２０の室（オフィス・フロア）も含まれる。
【００２６】
建物遠隔監視システム１は、複数の建物２０と遠隔安全監視センタ２とから構成される。そして、各建物２０の設備制御手段３と、遠隔安全監視センタ２とは通信ネットワーク３０により接続される。なお、図１では１つの建物２０のみを代表して図示する。
【００２７】
図２に、建物２０内に設けられた設備機器１７が示される。図２には、ＩＤ読取り装置１５、監視カメラ１６、警報装置１９、設備機器１７、及びそれらの設備機器１７を制御する設備制御手段３を示す。設備機器１７には、例えば居室１８の照明設備２１ａ，エレベータホール２７の照明設備２１ｂ，玄関ホール２９に隣接するエレベータホール２７の照明設備２１ｃ，エレベータかご２８内の照明設備２１ｄ、出入口ドア鍵２３、エレベータ制御装置２５、などが含まれる。警報装置１９は建物２０内の管理室１４に設置される。また、監視カメラ１６は、出入口２６の監視カメラ１６ａ、エレベータかご２８内の監視カメラ１６ｂ、玄関ホール２９に隣接するエレベータホール２７の監視カメラ１６ｃであるが、これに限らず、居住者用の共有スペースなどに設けられても良い。また、照明設備２１には、図示しない階段に設けられた照明設備２１も含まれる。
【００２８】
ＩＤ読取り装置１５は、建物２０の入退室口である出入口２６に設けられ、例えば、入退室者である居住者のＩＤガードを読込むカードリーダか、或いは居住者の認証番号を入力させる入力装置である。また、ＩＤ読取り装置１５は、例えば、オフィスビルの入退室口に設けられる入退室者のＩＤガードを読込むカードリーダであっても良い。この建物２０の出入口２６に設けられたＩＤ読取り装置１５は、入退室者を検知してその入退室者情報を建物遠隔監視システム１に送信する。また、建物２０の出入口２６には、監視カメラ１６ａが設けられ、撮影された映像に関する情報を建物遠隔監視システム１に送信する。
【００２９】
建遠隔安全監視センタ２は、設備情報記憶手段４、個人情報記憶手段５、居住者認証手段６、通行状況把握手段７、制御指令発信手段８、及び警備指令発信手段９から構成される。この個人情報記憶手段５は、基本属性データベース１０、個人状況把握データベース１１、及び属性履歴データベース１２から構成される。
【００３０】
設備情報記憶手段４には、建物２０内の各設備機器１７の種類、及び配置が記憶される。例えば、建物２０内の居室１８、出入口２６、玄関ホール２９、エレベータホール２７、エレベータかご２８内、階段などの照明設備２１、マンションの出入口２６の出入口ドア鍵２３などの配置が記憶される。この設備情報記憶手段４には、オフィスなどの建物２０の場合に、例えば、オフィスビルの入退室扉のドア鍵２３が記憶されても良い。また、設備情報記憶手段４は、例えば照明設備２１のＯＮ／ＯＦＦの状況を記憶する。
【００３１】
図３に、入退室者の個人認証システムを示す。居住者認証手段６は、図２に示すように、建物２０の出入口２６に設けられたＩＤ読取り装置１５が検知した玄関ホール２９への入室者、或いは玄関ホール２９からの退室者のＩＤ番号を受信する。また、居住者認証手段６は、建物２０の出入口２６に設けられた監視カメラ１６ａが撮影した入退室者の映像を受信する。そして、居住者認証手段６は、ＩＤ読取り装置１５が読取ったＩＤ番号から基本属性データベース１０に登録された居住者の顔画像３３を検索して抽出する。そして、居住者認証手段６は、建物２０の出入口２６に設けられた監視カメラ１６ａが撮影した入退室者の映像から抽出された顔画像３２と、基本属性データベース１０に登録された居住者の顔画像３３とを照合して居住者の個人認証を行う。すなわち、個人情報記憶手段５の基本属性データベース１０には、居住者の個人認証用の顔画像３３が、その居住者のＩＤ番号と関連付けられて登録されている。さらに、居住者認証手段６は、個人認証により居住者による入退出であると判断した場合には、出入口ドア鍵２３を解錠させる。
【００３２】
図４に、個人情報記憶手段５に記憶されるデータを示す。個人情報記憶手段５には、建物２０の居住者に関する個人情報が記憶される。基本属性データベース１０には居住者の固定された属性が予め登録される。すなわち、上述したように、その居住者の個人認証用に個人が特定できる顔画像３３が登録される。また、その居住者の居住情報として、例えば、居室１８の階数、部屋番号、部屋位置などが登録される。さらに、外見的な特徴として、例えば、性別、身長、体重などが登録される。また、その居住者の同居者について登録されても良い。このような居住者の基本的な属性についてのデータは、その居住者のプライバシーに関わるデータであり、これらのデータを建物２０ごとに分散して管理することは機密保護の観点からは好ましくない。本願発明のように、これらのデータを遠隔安全監視センタ２において厳重に一元管理することで個人データの流出が容易に防止できる。
【００３３】
個人状況把握データベース１１には、通行状況把握手段７が把握した個人状況が記憶され、属性履歴データベース１２には、個人状況把握データベース１１から抽出された居住者の変動する属性が更新して記憶される。例えば、通行状況把握手段７は、建物２０内に設けられた監視カメラ１６ａ，１６ｂ，１６ｃが撮影した映像に基づき、居住者の建物２０内での経路を把握して個人状況把握データベース１１に記憶する。さらに、その居住者の建物２０内の動線を抽出して属性履歴データベース１２に記憶する。このように、変動する居住者の属性は、通行状況把握手段７により把握され、その都度個人状況把握データベース１１に記憶される。そして、個人状況把握データベース１１に記憶されたデータから居住者の属性とみなされるものが属性履歴データベース１２に抽出されて記憶される。
【００３４】
このようにして、制御指令発信手段８及び警備指令発信手段９は、居住者認証手段６による居住者の個人認証と、個人情報記憶手段５に記憶されたその居住者の個人情報と、通行状況把握手段７が受信した居住者の通行状況と、に基づき、建物２０内の居住者に対する安全監視及び保安サービスを行う。そして、制御指令発信手段８は、各建物２０の設備制御手段３に対し、通信ネットワーク３０を介し、設備情報記憶手段４が記憶するその建物２０の設備機器１７に対するＯＮ／ＯＦＦ制御指令を発信する。制御指令発信手段８は、設備制御手段３に対し、その建物２０の警報装置１９に異常検出の警報を発報させる指令を発信しても良い。また、警備指令発信手段９は、警備員１３に対し、通信ネットワーク３０を介し、その建物２０への出動を要請する制御指令を発信する。ここで、警備員１３は、例えば、警備会社の警備員１３、設備メンテナンス会社の警備員１３などである。以下、制御指令発信手段８が建物２０の設備機器１７に対するＯＮ／ＯＦＦ制御指令、及び警備指令発信手段９が発信する制御指令の具体例を説明する。
【００３５】
（建物遠隔監視システムによる設備制御及び保安サービス）
【００３６】
図５に、居住者の入退出による設備機器１７の制御システムを示す。制御指令発信手段８は、居住者認証手段６により特定された居住者の建物２０の出入口２６への入室情報、又は建物２０の出入口２６からの退室情報から、居住者の在室状況を判断する。そして、設備制御手段３に対し、居住者の入退出に応じ、その居住者の居室１８内、エレベータホール２７、エレベータかご２８内、或いは建物２０内の共有部分或いは廊下にある照明設備２１ａ，２１ｂ，２１ｃ，２１ｄのＯＮ／ＯＦＦ指令を発信する。すなわち、ＩＤ読取り装置１５が検知したＩＤ番号及び入退室情報を受信した居住者認証手段６は、基本属性データベース１０に記憶されたそのＩＤ番号に対応する居住者の居室１８の階数、部屋番号、又は部屋位置を抽出し、制御指令発信手段８に入退室情報と共に送信する。制御指令発信手段８は、居住者が出入口２６への入室情報を受信した場合には、その居住者の居室１８の照明設備２１ａをＯＮとし，居室１８の階の廊下やエレベータホール２７の照明設備２１ｂ、エレベータかご２８内の照明設備２１ｄなどをＯＮとする。さらに、エレベータ制御装置２５にエレベータカゴ２８の呼び登録をさせる。これにより、居住者が建物２０の出入口２６へ入室した場合に、エレベータかご２８を待機させ、関連する照明設備２１をＯＮさせて警備するというきめ細かい保安サービスを行う。
【００３７】
また、制御指令発信手段８は、居住者が出入口２６からの退室情報を受信した場合には、その居住者の居室１８の照明設備２１ａ、居室１８の階の廊下やエレベータホール２７の照明設備２１ｂ、或いは建物２０内の共有部分或いは廊下にある照明設備２１をＯＦＦとする。これにより、不必要な照明設備２１を消灯させて省エネルギを図る。
【００３８】
図６に、居住者の動線に基づく保安システムを示す。通行状況把握手段７は、監視カメラ１６ａ，１６ｂ，１６ｃなどにより撮影された画像から居住者の進行方向、速度などを検出し、出入口２６から入室した居住者が居室１８に至るまでの経路を把握し、個人状況把握データベース１１に記憶する。例えば、その居住者はエレベータ３１を利用するか、或いは階段を利用するかなどである。さらに、その居住者の建物２０内の動線を抽出して属性履歴データベース１２に記憶する。そして、制御指令発信手段８は、設備制御手段３に対してその居住者の動線に基づいて照明設備２１のＯＮ／ＯＦＦ指令を発信する。例えば、その居住者の動線に基づき、エレベータホール２７の照明設備２１ｃ、階段、廊下の照明設備２１などをＯＮにする。
【００３９】
図７に、監視カメラ１６によるエレベータ３１の制御システムを示す。個人状況把握手段７は、建物２０の出入口２６に設けられた監視カメラ１６ａ、又はエレベータホール２７に設けられた監視カメラ１６ｃが撮影した居住者の画像から居住者が建物２０内のエレベータ３１に乗車することを把握する。そして、制御指令発信手段８は、設備制御手段３に対してその居住者の乗車するエレベータ３１の設備機器１７のＯＮ／ＯＦＦ指令を発信する。例えば、エレベータ制御装置２５に対してエレベータがご２８の呼び登録をする。また、深夜には、出入口２６からエレベータ３１までの通路の照明設備２１ｃをＯＮにする。
【００４０】
図８に、居住者の異常に対する安全監視システムを示す。制御指令発信手段８は、通行状況把握手段７が建物２０内に設けられた監視カメラ１６ａ，１６ｂ，１６ｃが撮影した画像から居住者の異常を検出した場合には、設備制御手段３に対し、警報装置１９に異常検出の警報を発報させる指令を発信し、警備指令発信手段９は、警備員１３に対してその建物２０への出動を要請する制御指令を発信する。居住者の異常とは、例えば、居住者が階段、エレベータホール２７などで倒れている場合、居住者が階段、エレベータホール２７などで暴れている場合、女性、子供、老人などが階段、エレベータホール２７などで暴漢又は痴漢などに襲われている場合などである。
【００４１】
図９に、エレベータかご２８内の居住者の異常に対する安全監視システムを示す。制御指令発信手段８は、通行状況把握手段７が建物２０内のエレベータかご２８内に設けられた監視カメラ１６ｂが撮影した画像から居住者の異常を検出した場合には、設備制御手段３に対し、警報装置１９に異常検出の警報を発報させる指令を発信し、警備指令発信手段９は、警備員１３に対してその建物２０への出動を要請する制御指令を発信する。居住者の異常とは、例えば、居住者がエレベータかご２８内で倒れている場合、居住者がエレベータかご２８内で暴れている場合、女性、子供、老人などがエレベータかご２８内で暴漢又は痴漢などに襲われている場合などである。この場合、制御指令発信手段８は、設備制御手段３に対し、エレベータ制御装置２５にエレベータカゴ２８を最寄りの階で停止させエレベータ３１の扉を開放するように指示させても良い。
【００４２】
このように、建物２０の居住者に関する個人情報、居住者の在室状況、及び居住者の個人状況が遠隔安全監視センタ２に集約されて一元管理される。そして、これらの建物２０の居住者に関する個人情報、居住者の在室状況、及び居住者の個人状況に基づき、遠隔安全監視センタ２から各建物２０の設備機器１７に対してきめの細かい制御指令が発信される。
【図面の簡単な説明】
【００４３】
【図１】本発明に係る建物遠隔監視システムの１つの実施形態の概略構成を示すブロック図である。
【図２】建物内に設けられた設備機器を示す説明図である。
【図３】個人情報記憶手段に記憶される居住者に関するデータを示す説明図である。
【図４】入退室者の個人認証システムを示すブロック図である。
【図５】居住者の在室状況による設備機器の制御システムを示すブロック図である。
【図６】居住者の動線に基づく保安システムを示すブロック図である。
【図７】監視カメラによるエレベータの制御システムを示すブロック図である。
【図８】居住者の異常に対する安全監視システムを示すブロック図である。
【図９】エレベータかご内の居住者の異常に対する安全監視システムを示すブロック図である。
【符号の説明】
【００４４】
１  建物遠隔監視システム、２  遠隔安全監視センタ、３  設備制御手段、４  設備情報記憶手段、５  個人情報記憶手段、６  居住者認証手段、７  通行状況把握手段、８  制御指令発信手段、９  警備指令発信手段、１０  基本属性データベース、１１  個人状況把握データベース、１２  属性履歴データベース、１３  警備員、１４  管理室、１５  ＩＤ読取り装置、１６  監視カメラ、１７  設備機器、１８  居室、１９  警報装置、２０  建物、２１ａ，２１ｂ，２１ｃ，２１ｄ  照明設備、２３  出入口ドア鍵、２５  エレベータ制御装置、２６  出入口、２７  エレベータホール、２８  エレベータかご、２９  玄関ホール、３０  通信ネットワーク、３１  エレベータ、３２，３３  顔画像。
【図１】
2010026955.tif 000003
【図２】
2010026955.tif 000004
【図３】
2010026955.tif 000005
【図４】
2010026955.tif 000006
【図５】
2010026955.tif 000007
【図６】
2010026955.tif 000008
【図７】
2010026955.tif 000009
【図８】
2010026955.tif 000010
【図９】
2010026955.tif 000011